(57)【要約】【課題】清掃性を向上することができる開口部装置を提供する。【解決手段】上枠、下枠１２、及び縦枠が枠組みされた枠体と、枠体の枠組み内に配置される障子と、を備え、下枠は、見込み方向に延びるスロープ設置片１３ｈと、スロープ設置片の上面に見付け方向左右に離隔して固定された２つのスロープ固定部材１４と、見込み方向に傾斜面を有し、２つのスロープ固定部材を渡すように両端部がスロープ固定部材に固定されたスロープと、を有する。【選択図】図５
2014109128.tif 000002
【特許請求の範囲】
【請求項１】
上枠、下枠、及び縦枠が枠組みされた枠体と、
前記枠体の枠組み内に配置される障子と、を備え、
前記下枠は、
見込み方向に延びるスロープ設置片と、
前記スロープ設置片の上面に見付け方向左右に離隔して固定された２つのスロープ固定部材と、
見込み方向に傾斜面を有し、前記２つのスロープ固定部材を渡すように両端部が前記スロープ固定部材に固定されたスロープと、を有する、開口部装置。
【請求項２】
前記スロープは、スロープ本体と、該スロープ本体の両端部に設けられ、前記スロープ固定部材に嵌合する端部部材と、を有する請求項１に記載の開口部装置。
【請求項３】
前記端部部材には、前記スロープ固定部材に係止して前記スロープの見付け方向の移動を制限する手段が具備されている請求項２に記載の開口部装置。
【請求項４】
前記スロープの下面には前記スロープの傾斜方向と同様の方向に傾斜して下方に延びる部位を有する水返し材が具備されている請求項１乃至３のいずれか１項に記載の開口部装置。
【請求項５】
前記下枠には立設する片を有し、前記スロープ固定部材は、その一面を前記立設する片に接触させて前記スロープ設置片に固定されている請求項１乃至４のいずれか１項に記載の開口部装置。
【発明の詳細な説明】
【技術分野】
【０００１】
本発明は、建物の開口部に配置される開口部装置に関する。
【背景技術】
【０００２】
近年、住宅や公共施設等の建物においていわゆるバリアフリー化が進められており、建物利用者の利便性、安全性が高められている。このバリアフリー化の１つとして隣接する一方の部屋と他方の部屋との床の高さを同じ、又は床の高さの差を小さく抑えた構造が提供されている。このような構造は浴室、及び該浴室に隣接する更衣室に対しても採用されている。
【０００３】
一方、建物の屋内外や隣接する部屋間を連通する建物の開口部には、開口部を開放及び閉鎖する開口部装置が備えられている。この開口部装置には建物の開口部の縁に沿って固定された枠体と、該枠体の枠組みされた枠内に配置される開閉可能な障子と、が備えられており、障子の移動、回動や揺動により開口部の開放および閉鎖ができるように構成されている。
【０００４】
浴室に開口部装置を配置する際には、浴室の性質上、多量の水を使用するため、水が浴室から隣接する部屋（更衣室など）に流出することを防止する必要がある。ところが、バリアフリー化により、水が流出しやすい構造となるため、開口部装置により当該水の流出を防止する必要性がさらに高くなり、防水性（止水性）向上のための構造が提案されるようになった。
【０００５】
そのうちの１つとして、例えば特許文献１のように、浴室の床面と開口部装置の下枠から立ち上がり片を設けた上面との間に若干の段差を設ける手段がある。このときには、下枠の上面と浴室の床面とを渡すように、傾斜したスロープを設けて段差が緩やかに変化するように構成されている。
特許文献１には当該スロープを形成するために下枠に設けられたスロープ用アタッチメントが具備された開口部装置（浴室出入口用建具）が開示されている。
【先行技術文献】
【特許文献】
【０００６】
【特許文献１】特開２００５−２０１０３５号公報
【発明の概要】
【発明が解決しようとする課題】
【０００７】
しかしながら特許文献１に記載の技術では、スロープ用アタッチメント（スロープ）を下枠に係止するためのアタッチメントが下枠の長手方向の途中に突出するように配置されており、スロープを外して下枠上面を清掃する際に障害物となっていた。
【０００８】
そこで本発明は、清掃性を向上することができる開口部装置を提供することを課題とする。
【課題を解決するための手段】
【０００９】
以下、本発明について説明する。なお、本発明の理解を容易にするために添付図面の参照符号を括弧書きにて付記するが、それにより本発明が図示の形態に限定されるものではない。
【００１０】
請求項１に記載の発明は、上枠（１１）、下枠（１２）、及び縦枠（２１）が枠組みされた枠体（１０）と、枠体の枠組み内に配置される障子（３０）と、を備え、下枠は、見込み方向に延びるスロープ設置片（１３ｈ）と、スロープ設置片の上面に見付け方向左右に離隔して固定された２つのスロープ固定部材（１４）と、見込み方向に傾斜面を有し、２つのスロープ固定部材を渡すように両端部がスロープ固定部材に固定されたスロープ（１５）と、を有する、開口部装置（１）である。
【００１１】
請求項２に記載の発明は、請求項１に記載の開口部装置（１）において、スロープ（１５）は、スロープ本体（１６）と、該スロープ本体の両端部に設けられ、スロープ固定部材（１４）に嵌合する端部部材（２０）と、を有する。
【００１２】
請求項３に記載の発明は、請求項２に記載の開口部装置（１）において、端部部材（２０）には、スロープ固定部材（１４）に係止してスロープの見付け方向の移動を制限する手段（２０ｆ）が具備されている。
【００１３】
請求項４に記載の発明は、請求項１乃至３のいずれか１項に記載の開口部装置（１）において、スロープ（１５）の下面にはスロープの傾斜方向と同様の方向に傾斜して下方に延びる部位を有する水返し材（１７、１８）が具備されている。
【００１４】
請求項５に記載の発明は、請求項１乃至４のいずれか１項に記載の開口部装置（１）において、下枠（１２）には立設する片（１３ｂ）を有し、スロープ固定部材（１４）は、その一面を立設する片に接触させてスロープ設置片（１３ｈ）に固定されている。
【発明の効果】
【００１５】
本発明によれば、スロープを備える構造であっても、下枠の清掃性、及びスロープの裏面の清掃性を向上させることができる。
【図面の簡単な説明】
【００１６】
【図１】開口部装置１の斜視図である。
【図２】開口部装置１の正面図である。
【図３】図２のＩＩＩ−ＩＩＩで示した線に沿った鉛直方向の断面図である。
【図４】図２にＩＶ−ＩＶで示した線に沿った水平方向の断面図である。
【図５】下枠本体１３の斜視図である。
【図６】スロープ固定部材１４の斜視図である。
【図７】スロープ１５の斜視図である。
【図８】スロープ１５の下面側からの斜視図である。
【図９】スロープ本体１６の断面図である。
【図１０】端部部材２０の下面側からの斜視図である。
【図１１】端部部材２０をスロープ固定部材１４に取り付ける場面の図である。
【図１２】開口部装置１０１の斜視図である。
【図１３】開口部装置１０１の正面図である。
【図１４】下枠１１２の斜視図である。
【図１５】下枠１１２の断面図である。
【図１６】下枠本体１１３及びスロープ固定部材１１４の斜視図である。
【図１７】スロープ固定部材１１４の周辺を拡大した図である。
【図１８】端部部材１２０を説明する図である。
【図１９】開口部装置２０１の正面図である。
【図２０】下枠２１２の斜視図である。
【図２１】下枠２１２の断面図である。
【発明を実施するための形態】
【００１７】
本発明の上記した作用及び利得は、次に説明する発明を実施するための形態から明らかにされる。以下、本発明を図面に示す実施形態に基づき説明する。なお、ここに示す各図では説明のため一部の部材を省略したり、部材の形状を誇張して表すことがある。
また、以下の説明では、開口部装置が建物開口部に設置された姿勢で、開口部装置により仕切られた部屋から開口部装置を見たときに上下となる方向を見付け方向上下、左右となる方向を見付け方向左右、仕切られた隣接する部屋間の内外方向を見込み方向と記載することがある。さらに見付け方向上下及び見付け方向左右に平行な面を見付け面、見込み方向に平行な面を見込み面と記載することがある。
【００１８】
図１は第一の形態を説明する図で、開口部装置１の斜視図、図２は浴室側からみた正面図である。本形態では開口部装置１により浴室と更衣室とを仕切る場合について説明する。開口部装置１は、１枚の障子３０で開口部分１０ａを閉鎖可能とし、当該障子３０を見付け方向左右に移動して戸袋部分１０ｂに収容することで開口部分１０ａを開放する、いわゆる引き戸式の開口部装置である。
図３は図２にＩＩＩ−ＩＩＩで示した鉛直方向断面図、図４は図２にＩＶ−ＩＶで示した水平方向矢視断面図である。図３、図４には併せて浴室側及び更衣室側となる方向を示している。
【００１９】
開口部装置１は、図１乃至図４に表れているように、浴室と浴室外としての更衣室との間の建物開口部における躯体に固定された枠体１０と、該枠体１０の枠内に見付け方向左右に移動可能に設けられた障子３０とが配置されている。
【００２０】
枠体１０は、上枠１１、下枠１２、縦枠２１、方立２２を有して構成されている。
【００２１】
上枠１１は、枠体１０の上枠を構成する長尺の部材で、図３に表れる断面を有して長手方向に延びるように形成されている。上枠１１は、その長手方向が建物開口部の上縁に沿って配置され、建物躯体に固定されている。
図３からわかるように、本形態の開口部装置１の上枠１１は、後述する障子３０の上端に設けられた吊り車３３が載置されて転動するレール１１ａを備えている。レール１１ａは上枠１１の長手方向に沿って見付け方向左右に延びるように形成されている。
【００２２】
下枠１２は、下枠本体１３、スロープ固定部材１４、及びスロープ１５を具備して形成されている。
【００２３】
下枠本体１３は、枠体１０の下枠を構成する部材のうち、建物躯体に固定される長尺の部材で、図３に表れる断面を有して長手方向に延びるように形成されている。下枠本体１３は、その長手方向が建物開口部の下縁に沿って配置され、建物躯体に固定されている。図５には下枠本体１３の斜視図を表した。
【００２４】
図３、図５からわかるように、下枠本体１３は、図３の断面において見込方向に延びる片１３ａを有し、該片１３ａの見込み方向一方側及び他方側端部からは見付け方向上方に向けて片１３ｂ、１３ｃが立設している。これにより片１３ａを底、片１３ｂ、１３ｃを壁とする凹部１３ｄが形成されている。
【００２５】
凹部１３ｄの内側にはガイド部材１３ｅが配置されている。ガイド部材１３ｅは、下枠本体１３の凹部１３ｄ内に装着及び離脱できるように構成された長尺の部材で、下枠本体１３の長手方向に沿って延びる。本形態ではガイド部材１３ｅは、後述する障子３０の下端に設けられたガイド片３２ａが挿入される溝であるガイド溝１３ｆを形成する。
図３からわかるように、ガイド部材１３ｅは、当該断面において見込方向に延びる片１３ｇを有して下枠１２の上面の一部を形成している。片１３ｇの見込み方向浴室側となる端部には片１３ｍが垂下され、その先端が片１３ａに接している。一方、片１３ｇの見込み方向更衣室側は、片１３ｃに係合するように構成されている。これによりガイド部材１３ｅの見込み方向の移動が制限され、ガイド溝１３ｆの幅が保持される。
【００２６】
また下枠本体１３には、浴室側に配置される片１３ｂから見込み方向浴室側に延びるスロープ設置片１３ｈが設けられている。また、片１３ｂにはスロープ１５の端部を引っ掛けて保持する係止片１３ｉが具備されている。ここに取り付けられるスロープ１５は図１及び図２からわかるように開口部分１０ａ側にのみ設けられているので、図５にも表れているようにスロープ設置片１３ｈは下枠本体１３のうち開口部分１０ａとなる部位にのみ具備されていればよい。
【００２７】
ここで、片１３ｂには、図５に表れているように、凹部１３ｄから浴室内側に貫通する排水穴１３ｊが設けられている。これにより凹部１３ｄ内の水を浴室側に速やかに排出することができる。
【００２８】
次に下枠１２のスロープ固定部材１４について説明する。スロープ固定部材１４は図５に表れている。また、図６にはスロープ固定部材１４が配置された部位に注目した斜視図を示した。
スロープ固定部材１４は、スロープ１５を下枠本体１３に保持するための部材である。本形態でスロープ固定部材１４は、略直方体である。そして該直方体である面のうち、見込み方向浴室側にスロープ嵌合手段としての切り欠き１４ａが設けられている。切り欠き１４ａは図６からわかるように水平方向に延在し、その上部に段差が形成される形状を有している。
また、スロープ固定部材１４の上面はその一部が掘り下げられてここにネジ１４ｂの頭が収まるように構成されている。
スロープ固定部材１４の高さは特に限定されることはないが、本形態ではその更衣室側端部の高さがスロープ設置片１３ｈと係止片１３ｉとの間隔と概ね同じとなるように形成されている。また、スロープ固定部材１４の見込み方向長さも特に限定されることはないが、スロープ設置片１３ｈの見込み方向大きさより小さいことが好ましい。
【００２９】
スロープ固定部材１４は次のように下枠本体１３に配置される。すなわち、図５からわかるように、配置されるスロープ１５の両端部分となる位置のそれぞれに見付け方向左右に離隔して設置される。個々のスロープ固定部材１４は図６に表れているように切り欠き１４ａが浴室側に向けられるとともに、更衣室側はスロープ設置片１３ｈと係止片１３ｉとの間に差し込まれ、片１３ｂに突き当てられる。そして、ネジ１４ｂによりスロープ設置片１３ｈに固定される。
【００３０】
スロープ固定部材１４が、スロープ１５の見付け方向左右の両端となる位置のみに配置されることにより、図５からもわかるようにスロープ設置片１３ｈの上面の両端以外には突出するような障害物がない。従ってこの部分の清掃がしやすく、清掃性を向上させることができる。
また、それぞれのスロープ固定部材１４は、ネジ１４ｂにより下枠本体１３に固定されるとともに、片１３ｂに１つの面が接触するように配置されている。これにより、スロープ固定部材１４がネジ１４ｂを中心に回転してしまうことが防止され、ネジを複数用いることなくスロープ固定部材１４の姿勢を安定して維持できる。これに加えて、スロープ固定部材１４の当該端部をスロープ設置片１３ｈと片１３ｉとの間に挟むようにすれば、さらに安定した固定が可能である。
【００３１】
次にスロープ１５について説明する。スロープ１５は、図１乃至図４に表れているように板状の部材であり、更衣室側の端部が下枠本体１３の上面に取り付けられ、浴室側端部は浴室の床面に近づくように傾斜して配置される。これにより、スロープ１５が下枠本体１３の浴室側の縁部を覆い、下枠１２の上面と浴室の床との段差を滑らかに連結している。図７にはスロープ１５の上面側から見た斜視図、図８にはスロープ１５の下面側（床面に対向する側）から見た斜視図をそれぞれ示した。
【００３２】
本形態において、スロープ１５は、スロープ本体１６及び該スロープ本体１６の見付け方向左右のそれぞれに配置される端部部材２０を備えている。
【００３３】
スロープ本体１６は、スロープ１５の主要部分を構成する板状の部位であり、図７からわかるように上面側には見付け方向左右に延びる複数の滑り止め溝が形成されている。これにより利用者の安全性が高められている。
一方、下面には図７からわかるように所定の部材が見付け方向左右に延びている。図９にはスロープ本体１６の断面を表した。図９は図３と同じ視点であり、下枠本体１３を破線で併せて示している。スロープ本体１６は図９に示した断面を有して見付け方向左右に延在する。
【００３４】
スロープ本体１６は、図９からわかるように、更衣室側端部に係止片１６ａが設けられている。係止片１６ａが上記した下枠本体１３の係止片１３ｉに引っ掛かるように係止し、スロープ本体１６の端部が下枠本体１３の上面と段差がなく下枠本体１３に取り付けられる。さらにスロープ本体１６の下面には、更衣室側から浴室側に順に、保持溝１６ｂ、保持溝１６ｃ、及び保持溝１６ｄが設けられている。これら保持溝１６ｂ、１６ｃ、１６ｄは、次に説明する各部材を保持するための溝である。
【００３５】
スロープ本体１６のうち浴室側の溝１６ｄには第一の水返し材１７が保持されている。水返し材１７は保持部１７ａ及び保持部１７ａから延びる返し部１７ｂを有している。保持部１７ａは保持溝１６ｄ内に挿入されて第一の水返し材１７を保持するための部材である。一方、返し部１７ｂは保持部から浴室側の下方に向けてスロープ１５と同様の傾き方向斜めに延びる部位であり、その先端が浴室の床面に接する。このような水返し材１７は、後述するように床面と密着して水の侵入を防ぐ観点から、樹脂やゴム等の止水性のある弾性部材であることが好ましい。
【００３６】
スロープ本体１６のうち更衣室側の溝１６ｂには第二の水返し材１８が保持されている。水返し材１８も保持部１８ａ及び保持部１８ａから延びる返し部１８ｂを有している。保持部１８ａは保持溝１６ｂ内に挿入されて第二の水返し材１８を保持するための部材である。一方、返し部１８ｂは保持部１８ａから浴室側の下方に向けてスロープ１５と同様の傾き方向斜めに延びる部位であり、その先端がスロープ設置片１３ｈの表面に接触する。このような水返し材１８は、後述するように片１３ｈに密着して水の侵入を防ぐ観点から、樹脂やゴム等の止水性のある弾性部材であることが好ましい。
【００３７】
スロープ本体１６のうち、第一の水返し材１７と第二の水返し材１８との間の溝１６ｃには支持材１９が保持されている。支持材１９は保持部１９ａ及び保持部１９ａの下方に具備される支持部１９ｂを有している。保持部１９ａは保持溝１６ｃ内に挿入されて支持材１９を保持するための部材である。一方、支持部１９ｂは保持部１９ａから下方に突出して設けられ、その先端がスロープ設置片１３ｈの表面に接触する。これにより支持材１９がスロープ本体１６を支持し、所定の高さを維持することができる。支持材１９は、スロープ本体１６を支持する観点から、硬質の樹脂やゴム等により形成されていることが好ましい。
【００３８】
スロープ１５の端部部材２０は、図７、図８からわかるように、スロープ本体１６の見付け方向左右の両端のそれぞれに配置される部位であり、上記したスロープ固定部材１４に嵌合してスロープ１５を下枠本体１３に固定する部位である。図１０には一方側の端部部材２０を裏面側から見た斜視図を示した。これは図８にＡで示した部位を拡大した図である。
【００３９】
端部部材２０は、見込み方向に延びる板状の被覆板２０ａを有している。
被覆板２０ａは上面がスロープ本体１６と面一とされ、これによりスロープ固定部材１４を上から覆うように隠蔽する。被覆板２０ａの下面からは嵌合突起２０ｂが下方に延在する。嵌合突起２０ｂはスロープ嵌合手段として機能し、上記したスロープ固定部材１４の切り欠き１４ａに嵌合する。これによりスロープ１５が下枠本体１３に固定される。
【００４０】
また、被覆板２０ａの下面からは嵌合突起２０ｂよりも浴室側に、見付け方向に平行な面を有する２つの止水板２０ｃ、２０ｄが見込み方向に並べて配列されている。さらに端部部材２０とスロープ本体１６との境界部分における被覆板２０ａの裏面からは見込み方向に平行な面を有する止水板２０ｅが下方に延びている。
一方、端部部材２０とスロープ本体１６との境界部分における被覆板２０ａの下面で、嵌合突起２０ｂの更衣室側には位置決め板２０ｆが下方に延びている。位置決め板２０ｆには該位置決め板２０を貫通してスロープ本体１６側に貫通する水抜き穴２０ｇが設けられている。
【００４１】
以上のような構成を有するスロープ１５は、次のようにして下枠本体１３に固定される。スロープ１５のうちスロープ本体１６は、図３に示したように下枠本体と組み合わされる。すなわち、スロープ本体１６の更衣室側端部に設けられた係止片１６ａが下枠本体の係止片１３ｉに引っ掛けるように係止される。一方、スロープ本体１６の浴室側端部は浴室床面に近付けて配置され、これにより下枠本体１３の上面から浴室床面まで傾斜面が形成される。このとき、支持材１９の支持部１９ｂが下枠本体１３のスロープ設置片１３ｈに載置され、スロープ本体１６を所定の高さ位置に保持する。また、第一の水返し材１７の返し部１７ｂの先端は浴室床面に接触する。一方、第二の水返し材１８の返し部１８ｂの先端がスロープ設置片１３ｈの上面に接触する。
【００４２】
一方、端部部材２０は次の通りである。図１１に、端部部材２０をスロープ固定部材１４に取り付ける場面の図を示した。端部部材２０では、被覆板２０ａがスロープ固定部材１４を上方から覆うように配置され、スロープ固定部材１４の切り欠き１４ａに、端部部材２０の嵌合突起２０ｂが嵌合される。これによりスロープ１５がスロープ固定部材１４を介して下枠本体１３に固定される。この際には当該切り欠き１４ａ及び嵌合突起２０ｂによりスロープ１５の見込み方向、及び見付け方向上下の位置決めが行われる。また、位置決め板２０ｆがスロープ固定部材１４の見付け方向内側面に対向するように配置される。これにより位置決め板２０ｆがスロープ固定部材１４の見込み面に係止して、スロープ１５の見付け方向左右の移動がスロープ固定部材１４により制限され、見付け方向左右の位置決めも行われる。
【００４３】
以上のように、端部部材２０とスロープ固定部材１４によりスロープ１５の位置決めを精度よく行うことができる。
【００４４】
なお、樹脂で構成される端部部材とスロープ本体とが別部材である場合にはスロープ本体にスロープ固定部材の固定部分を形成しなくてよいため生産性の向上や固定部材の変更に対応しやすくなる。
【００４５】
スロープ本体１６の止水性については次の通りである。図３に矢印Ｂで示したように、スロープ本体１６の浴室側からスロープ本体１６と浴室床面との間に侵入した水は、第一の水返し材１７の返し部１７ｂに達する。しかしながら、返し部１７ｂは上記したように浴室側に向けてスロープ１５の傾斜と同様に下方に傾斜する形態を有しているので、水が返し部１７ｂを押圧するればその止水力が増し、水は流入することがさらに困難のとなる。さらに、当該押圧力はスロープ本体１５を下方に下げる方向にも作用するので、スロープ本体１６がさらに浴室床面に押し付けられる。これによっても止水力を増す。特に本形態では、スロープ固定部材１４がスロープ１５の両端にのみ設けられているので、見付け方向左右の中央ではスロープ本体１６が上昇する傾向があるが、第一の水返し材１７により、これも防止される。
第二の水返し材１８についても同様である。
【００４６】
一方、下枠本体１３の凹部１３ｄから排水穴１３ｊ（図５参照）を通り、スロープ本体１６の下方に流出した水は、第一の水返し材１７及び第二の水返し材１８ともにこの方向からの水は通しやすい構造を有しているので適切に浴室側に排出される。従って、第一の水返し１７及び第二の水返し１８は一方弁のような機能により適切に止水及び排水をすることができる。
【００４７】
端部部材２０の止水性については次の通りである。図１０、図１１からわかるように、端部部材２０には、スロープ固定部材１４より浴室側に止水板２０ｃ、２０ｄ、２０ｅが配置され、見込み方向及び見付け方向左右における水の流入を防いでいる。また、スロープ固定部材１４が配置され部位では、位置決め板２０ｆに水抜き穴２０ｇが設けられているので、ここからスロープ本体１６側に水が抜け、適切に排水される。
【００４８】
図１乃至図４に戻って縦枠２１について説明する。縦枠２１は、枠体１０の縦枠を構成する長尺の部材で、図４に表れる断面を有して見付け方向上下を長手方向として延びるように形成されている。図１からわかるように、縦枠２１は左右に２つの設けられ、その長手方向が建物開口部の左右縁のそれぞれに沿って配置され、その端部が上枠１１の端部と下枠本体１３の端部とを渡すように取り付けられるとともに建物躯体にも固定されている。縦枠２１の見込み面に下枠本体１３の端部が突き当てられるように組み合わされる。
縦枠２１は通常の縦枠を用いることができ、必要に応じて片が見付け方向左右に延びるように設けられている。
【００４９】
方立２２は、図１、図２及び図４からわかるように、図４に示した断面を有して見付け方向上下に延びる部材である。方立２２は２つの縦枠２１間に、該縦枠２１と概ね平行に配置され、上端が上枠１１に、下端が下枠本体１３に固定される。また、方立２２は図４に表れているように、上枠１１、下枠本体１３のうち、浴室側に寄せられた位置に設置されている。
【００５０】
このように方立２２が２つの縦枠２１間に配置されることにより、上枠１１、下枠１２及び縦枠２１により囲まれた枠内が２つの部位に分割され、一方が開口部分１０ａ、他方が戸袋部分１０ｂとされている。戸袋部分１０ｂには上枠１１、下枠１２、方立２２及び縦枠２１で囲まれる枠内に面材であるパネル４０が固定されている。
【００５１】
障子３０は面材としてのパネル３１を有し、その外周を縁取るように框３２が配置されている。框３２の上部には吊り車３３が上方に延びるように配置され、框３２の下部にはガイド片３２ａが下方に延びるように設けられている。
【００５２】
このような障子３０は、上部に配置された吊り車３３が上枠１１のレール１１ａに載置され、下部に設けられたガイド片３２ａが下枠１２のガイド溝１３ｆに挿入される。これにより障子３０は、枠体１０内のうち更衣室側において見付け方向左右に移動可能とされる。
以上より、図１に示した視点で障子３０が開口部分１０ａを閉鎖することにより、障子３０及びパネル４０により建物開口部が閉鎖される。障子３０を見付け方向右側に移動することにより障子３０を戸袋部分１０ｂ側に配置して見込み方向にパネル４０と重ねることにより、開口部分１０ａが開放される。
【００５３】
以上の説明では、障子が１枚である開口部装置について説明したが、これに限られることなく、引き違いに２枚以上の障子が設けられる開口部装置であっても、その下枠の開口部分に上記のような構造を適用することが可能である。
【００５４】
図１２は第二の形態を説明する図で、開口部装置１０１の斜視図、図１３は浴室側からみた正面図である。本形態でも開口部装置１０１により浴室と更衣室とを仕切る場合について説明する。開口部装置１０１は、１枚の障子１３０が吊元側を軸にして揺動して開口部を開閉する、いわゆる開き戸式の開口部装置である。開口部装置１０１は、上枠１１１、下枠１１２、吊元側縦枠１２１、及び戸先側縦枠１２２が枠組みされ枠体１１０が形成され、その内側に障子１３０が吊元側を軸に揺動可能にピボットヒンジで固定されている。これにより障子１３０はピボットヒンジを軸として揺動して開閉する。
ここでは、本発明の特徴部分である下枠１１２について説明する。他の部分は公知の形態を適宜適用することが可能である。
【００５５】
図１４には下枠１１２の斜視図、図１５には下枠１１２の断面図を示した。
【００５６】
下枠１１２は、下枠本体１１３、スロープ固定部材１１４（図１６参照）、及びスロープ１１５を具備して形成されている。
【００５７】
下枠本体１１３は、枠体１１０の下枠を構成する部材のうち、建物躯体に固定される長尺の部材である。下枠本体１１３は、その長手方向が建物開口部の下縁に沿って配置され、建物躯体に固定されている。
図１５からわかるように、下枠本体１１３は、当該断面において見込み方向に延びる片１１３ａを有している。片１１３ａはスロープ設置片として機能する。そして該片１１３ａの見込み方向の更衣室側には２つの片１１３ｂ、１１３ｃが立設し、この間に溝１１３ｄが形成され、ここにパッキン１１３ｆを取り付けることができる。ここで片１１３ｂはクランク状に曲げられつつ上方に向けて延びている。
また、片１１３ｂの浴室側で片１１３ａの上面には、上方に突出するスロープ係止片１１３ｅが設けられている。
【００５８】
次に下枠１１２のスロープ固定部材１１４について説明する。図１６には下枠本体１１３及びスロープ固定部材１１４が表れた斜視図を示した。また、図１７にはスロープ固定部材１１４が配置された部位に注目した斜視図を示した。
スロープ固定部材１１４は、スロープ１１５を下枠本体１１３に保持するための部材である。本形態でスロープ固定部材１１４は略直方体である。そして該直方体である面のうち、上面から掘り下げられるようにスロープ嵌合手段としての嵌合孔１１４ａが設けられている。また直方体である面のうち更衣室側の見付け面のうち下部からは更衣室側に延びる片１１４ｂが形成されている。これに加えて、スロープ固定部材１１４の下面には、見込み方向左右に延びる溝１１４ｃが設けられている。また、スロープ固定部材１１４の上面はその一部が掘り下げられてここにネジ１１４ｄの頭が収まるように構成されている。
【００５９】
スロープ固定部材１１４は次のように下枠本体１１３に配置される。すなわち、図１６からわかるように、配置されるスロープ１１５の両端部分となる位置のそれぞれに見付け方向左右に離隔して設置される。個々のスロープ固定部材１１４は図１７に表れているように片１１４ｂが片１１３ｂのクランク状の部位に係止され、溝１１４ｃに突起１１３ｅが挿入される。そして、ネジ１１４ｄにより片１１３ａに固定される。
【００６０】
スロープ固定部材１１４が、スロープ１１５の見付け方向左右の両端となる位置のみに配置されることにより、図１６からもわかるように片１１３ａの上面の両端以外には突出するような障害物がない。従ってこの部分の清掃がしやすく、清掃性を向上させることができる。
また、それぞれのスロープ固定部材１１４は、ネジ１１４ｄにより下枠本体１１３に固定されるとともに、片１１４ｂ及び溝１１３ｃにより下枠本体１１３に係止している。これにより、スロープ固定部材１１４がネジ１１４ｄを中心に回転してしまうことが防止され、ネジを複数用いることなくスロープ固定部材１１４の姿勢を安定して維持できる。
【００６１】
次にスロープ１１５について説明する。スロープ１１５は、図１２乃至図１５に表れているように板状の部材であり、更衣室側の端部が下枠本体１１３の上面に取り付けられ、浴室側端部は浴室の床面に近づくように傾斜して配置される。これにより、スロープ１１５が下枠本体１１３の浴室側部分を覆い、下枠１１２の上面と浴室の床との段差を滑らかに連結している。
【００６２】
本形態において、スロープ１１５は、スロープ本体１１６及び該スロープ本体１１６の見付け方向左右のそれぞれに配置される端部部材１２０を備えている。
【００６３】
スロープ本体１１６は、スロープ１１５の主要部分を構成する板状の部位であり、上面には上記したスロープ本体１６と同様に見付け方向左右に延びる複数の滑り止め溝が形成されている。これにより利用者の安全性が高められている。
一方、下面には下面から突出した所定の片が見付け方向左右に延びている。図１５にその断面が表れている。
【００６４】
スロープ本体１１６は、図１５からわかるように、更衣室側端部に係止片１１６ａが設けられている。係止片１１６ａが上記した下枠本体１１３の突起１１３ｅと片１１３ｂに引っ掛かるように係止している。さらにスロープ本体１１６の下面には、更衣室側から浴室側に順に、片１１６ｂ、片１１６ｃが下方に向けて突出し、下枠本体１１３の片１１３ａの上面に接触する。これによりスロープ本体１１６が下枠本体１１３に取り付け及び保持される。
【００６５】
スロープ１１５の端部部材１２０は、図１２乃至図１４からわかるように、スロープ本体１１６の見付け方向左右の両端のそれぞれに配置される部位であり、上記したスロープ固定部材１１４に嵌合してスロープ１１５を下枠本体１１３に固定する部位である。図１８には一方側の端部部材１２０を裏面側が表れた図を示した。図１８はスロープ１１５を更衣室側端部を軸にめくるように回転させた場面である。
【００６６】
端部部材１２０は、見込み方向に延びる板状の被覆板１２０ａを有している。
被覆板１２０ａは上面がスロープ本体１１６と面一とされ、これによりスロープ固定部材１１４を上から覆うように隠蔽する。被覆板１２０ａの下面からは嵌合突起１２０ｂが下方に延在する。嵌合突起１２０ｂはスロープ嵌合手段として機能し、上記したスロープ固定部材１１４の嵌合孔１１４ａに嵌合する。これによりスロープ１１５が下枠本体１１３に固定される。
【００６７】
また、端部部材１２０とスロープ本体１１６との境界部分における被覆板１２０ａの下面からは、位置決め板１２０ｃが下方に延びている。
【００６８】
以上のような構成を有するスロープ１１５は、次のようにして下枠本体１１３に固定される。スロープ１１５のうちスロープ本体１１６は、図１５に示したように下枠本体１１３と組み合わされる。すなわち、スロープ本体１１６の更衣室側端部に設けられた係止片１１６ａが下枠本体１１３の突起１１３ｅと片１１３ｂに引っ掛かるように係止する。一方、スロープ本体１１６の浴室側端部は浴室床面に近付けて配置され、これにより下枠本体１１３の上面から浴室床面まで傾斜面が形成される。このとき、片１１６ｂ、１１６ｃが下枠本体１１３のスロープ設置片としての片１１３ａに載置され、スロープ本体１１６を所定の高さ位置に保持する。
【００６９】
一方、端部部材１２０は、図１８からわかるように被覆板１２０ａがスロープ固定部材１１４を上方から覆うように配置され、スロープ固定部材１１４の嵌合孔１１４ａに、端部部材１２０の嵌合突起１２０ｂが嵌合される。これによりスロープ１１５がスロープ固定部材１１４を介して下枠本体１１３に固定される。この際には当該嵌合孔１１４ａ及び嵌合突起１２０ｂによりスロープ１１５の見込み方向、及び見付け方向上下の位置決めが行われる。また、位置決め板１２０ｃがスロープ固定部材１１４の見付け方向左右の内側面に対向するように配置される。これにより位置決め板１２０ｃがスロープ固定部材１１４の見込み面に係止して、スロープ１１５の見付け方向左右の移動がスロープ固定部材１１４により制限され、見付け方向左右の位置決めも行われる。
【００７０】
以上のように、端部部材１２０とスロープ固定部材１１４によりスロープ１１５の位置決めを精度よく行うことができる。
【００７１】
図１９は第三の形態を説明する図で、開口部装置２０１の浴室側からみた正面図である。本形態でも開口部装置２０１により浴室と更衣室とを仕切る場合について説明する。開口部装置２０１は、２枚の障子２３０、２３５が折れ戸式に開閉する開口部装置である。開口部装置２０１は、上枠２１１、下枠２１２、縦枠２２１が枠組みされ枠体２１０が形成され、その内側に障子２３０、２３５が折れ戸式に開閉可能に配置されている。
ここでは、本発明の特徴部分である下枠２１２について説明する。他の部分は公知の形態を適宜適用することが可能である。
【００７２】
図２０には下枠２１２の斜視図、図２１には下枠２１２の断面図を示した。
【００７３】
下枠２１２は、下枠本体２１３、スロープ固定部材（不図示）、及びスロープ２１５を具備して形成されている。ここでスロープ固定部材は、上記と同様の形態を適用することができる。
【００７４】
下枠本体２１３は、枠体２１０の下枠を構成する部材のうち、建物躯体に固定される長尺の部材である。下枠本体２１３は、その長手方向が建物開口部の下縁に沿って配置され、建物躯体に固定されている。
図２１からわかるように、下枠本体２１３は、当該断面において見込み方向に延びる片２１３ａを有している。片２１３ａはスロープ設置片として機能する。そして該片２１３ａの見込み方向の浴室側には２つの片２１３ｂ、２１３ｃが所定の間隔で立設し、この間に溝２１３ｄが形成されている。これらがスロープ係止片として機能する。
【００７５】
次にスロープ２１５について説明する。スロープ２１５は、図１９、図２０に表れているように板状の部材であり、更衣室側の端部が下枠本体２１３の上面に取り付けられ、浴室側端部は浴室の床面に近づくように傾斜して配置される。これにより、スロープ２１５が下枠本体２１３の浴室側部分を覆い、下枠２１２の上面と浴室の床との段差を滑らかに連結している。
【００７６】
本形態において、スロープ２１５は、スロープ本体２１６及び該スロープ本体２１６の見付け方向左右のそれぞれに配置される端部部材２２０を備えている。ここで、端部部材２２０は上記した形態を適用することができるので以下では、スロープ本体２１６について説明する。
【００７７】
スロープ本体２１６は、スロープ２１５の主要部分を構成する板状の部位であり、上面には上記したスロープ本体１６と同様に見付け方向左右に延びる複数の滑り止め溝が形成されている。これにより利用者の安全性が高められている。
一方、下面には下面から突出した所定の片が見付け方向左右に延びている。図２１にその断面が表れている。
【００７８】
スロープ本体２１６は、図２１からわかるように、更衣室側端部に係止片２１６ａが設けられている。係止片２１６ａが上記した下枠本体２１３の片２１３ｃに引っ掛かるように係止している。さらにスロープ本体２１６の下面には、支持部材２１７が固定され、浴室床面に接する。
【符号の説明】
【００７９】
１  開口部装置
１０  枠体
１１  上枠
１２  下枠
１３  下枠本体
１４  スロープ固定部材
１５  スロープ
１６  スロープ本体
２０  端部部材
２１  縦枠
２２  方立
【図１】
2014109128.tif 000003
【図２】
2014109128.tif 000004
【図３】
2014109128.tif 000005
【図４】
2014109128.tif 000006
【図５】
2014109128.tif 000007
【図６】
2014109128.tif 000008
【図７】
2014109128.tif 000009
【図８】
2014109128.tif 000010
【図９】
2014109128.tif 000011
【図１０】
2014109128.tif 000012
【図１１】
2014109128.tif 000013
【図１２】
2014109128.tif 000014
【図１３】
2014109128.tif 000015
【図１４】
2014109128.tif 000016
【図１５】
2014109128.tif 000017
【図１６】
2014109128.tif 000018
【図１７】
2014109128.tif 000019
【図１８】
2014109128.tif 000020
【図１９】
2014109128.tif 000021
【図２０】
2014109128.tif 000022
【図２１】
2014109128.tif 000023